(57)【要約】【課題】  断熱具を用いることなく電子レンジ等の加熱手段から取り出すことができる容器及び食品を提供する。【解決手段】  食品１０及び容器１１は、椀型の容器本体１２と逆椀型の容器蓋１３を有する。容器本体の環状開口縁部２９と容器蓋の環状開口縁部４５は、容器本体の開口部２３と容器蓋の開口部３５を対向させた状態で嵌合可能な形状を有する。容器本体の外面２１と容器蓋の内面３３は、上下反転された容器蓋の内面の内側に容器本体の外面を位置させることができる形状を有する。容器本体の外面又は容器蓋の内面いずれか一方は、容器蓋の内面の内側に容器本体の外面を位置させた状態で他方に向けて突出すると共に他方に当接し、容器本体の外面と容器蓋の内面との間に断熱空間５０，５１を形成すると共に容器蓋の内側に容器本体を位置決めする複数の突出部３９を備えている。【選択図】図６
2006256672.tif 000002
【特許請求の範囲】
【請求項１】
椀型の容器本体と逆椀型の容器蓋を有する容器であって、
上記容器本体の環状開口縁部と上記容器蓋の環状開口縁部は、上記容器本体の開口部と上記容器蓋の開口部を対向させた状態で嵌合可能な形状を有し、
上記容器本体の外面と上記容器蓋の内面は、上下反転された上記容器蓋の内面の内側に上記容器本体の外面を位置させることができる形状を有し、
上記容器本体の外面又は上記容器蓋の内面いずれか一方は、上記容器蓋の内面の内側に上記容器本体の外面を位置させた状態で他方に向けて突出すると共に他方に当接し、上記容器本体の外面と上記容器蓋の内面との間に断熱空間を形成すると共に上記容器蓋の内面の内側に上記容器本体を位置決めする複数の突出部を備えていることを特徴とする容器。
【請求項２】
上記複数の突出部は、上記容器蓋の内面の内側に上記容器本体の外面を位置させた状態で、上記容器本体の環状開口縁部と上記容器蓋の環状開口縁部との間に、周方向に連続的にまたは断続的に、上記断熱空間を大気に連通する連通開口を形成することを特徴とする請求項１に記載の容器。
【請求項３】
上記容器本体は上記容器本体の中心を通る中心軸に対して回転対称の形状を有し、
上記容器蓋は上記容器蓋の中心を通る中心軸に対して回転対称の形状を有し、
上記容器本体の外面と上記容器蓋の内面は、上記容器蓋の内面の内側に上記容器本体の外面を位置させた状態で、上記容器本体の中心軸を中心とする上記容器本体の上記容器蓋に対する回転を規制する回転規制部をそれぞれ備えていることを特徴とする請求項１又は２のいずれかに記載の容器。
【請求項４】
椀型の容器本体と逆椀型の容器蓋からなり、
上記容器本体と容器蓋は類似の形状を有し、
上記容器本体の開口部を上方に向けると共に上記容器蓋の開口部を下方に向けた状態で、上記容器本体の開口縁部と上記容器蓋の開口縁部は嵌合可能であり、
上記容器本体の開口部を上方に向けると共に上記容器蓋の開口部を上方に向けた状態で、上記容器蓋に上記容器本体を収容可能であり、
上記容器本体又は容器蓋の一方は、上記容器蓋に容器本体を収容した状態で、上記一方から他方に向けて突出すると共に他方に当接し、上記容器本体と容器蓋との間に断熱空間を形成すると共に上記容器蓋に対して上記容器本体を位置決めする突出部を備えていることを特徴とする容器。
【請求項５】
上記容器本体と容器蓋はそれぞれ円形の容器本体と円形の容器蓋であり、上記容器本体と容器蓋は、上記容器蓋に容器本体を収容した状態で、上記容器本体と容器蓋との相対的な回転を防止する回転規制部を備えていることを特徴とする請求項４に記載の容器。
【請求項６】
椀型の容器本体、逆椀型の容器蓋と、上記容器本体に収容された食材を備えた食品であって、
上記容器本体の環状開口縁部と上記容器蓋の環状開口縁部は、上記容器本体の開口部と上記容器蓋の開口部を対向させた状態で嵌合可能な形状を有し、
上記容器本体の外面と上記容器蓋の内面は、上下反転された上記容器蓋の内面の内側に上記容器本体の外面を位置させることができる形状を有し、
上記容器本体の外面又は上記容器蓋の内面のいずれか一方は、上記容器蓋の内面の内側に上記容器本体の外面を位置させた状態で他方に向けて突出すると共に他方に当接し、上記容器本体の外面と上記容器蓋の内面との間に断熱空間を形成すると共に上記容器蓋の内面の内側に上記容器本体を位置決めする複数の突出部を備えていることを特徴とする食品。
【請求項７】
椀型の容器本体と、逆椀型の容器蓋と、上記容器本体に収容された食材を有し、
上記容器本体と容器蓋は類似の形状を有し、
上記容器本体の開口部を上方に向けると共に上記容器蓋の開口部を下方に向けた状態で、上記容器本体の開口縁部と上記容器蓋の開口縁部は嵌合可能であり、
上記容器本体の開口部を上方に向けると共に上記容器蓋の開口部を上方に向けた状態で、上記容器蓋に上記容器本体を収容可能であり、
上記容器本体又は容器蓋の一方は、上記容器蓋に容器本体を収容した状態で、上記一方から他方に向けて突出すると共に他方に当接し、上記容器本体と容器蓋との間に断熱空間を形成すると共に上記容器蓋に対して上記容器本体を位置決めする突出部を備えていることを特徴とする食品。
【請求項８】
上記容器本体と容器蓋はそれぞれ円形の容器本体と円形の容器蓋であり、上記容器本体と容器蓋は、上記容器蓋に容器本体を収容した状態で、上記容器本体と容器蓋との相対的な回転を防止する回転規制部を備えていることを特徴とする請求項６又は７の記載の容器。
【請求項９】
上記食材が収容された容器本体の開口部を封止するシールを有することを特徴とする請求項６〜８のいずれかに記載の食品。
【請求項１０】
上記容器本体と容器蓋を嵌合した状態で、上記容器蓋の内側に第２の食材が収容されていることを特徴とする請求項６〜８のいずれかに記載の食品。
【発明の詳細な説明】
【技術分野】
【０００１】
本発明は、容器本体と容器蓋からなる容器と、容器に食材を収容した食品に関する。
【背景技術】
【０００２】
電子レンジで調理する電子レンジ調理食品として、合成樹脂からなる容器の内部に食材を収容すると共に容器開口部をフィルムシートでシールしたものが市場に提供されている。このような電子レンジ調理食品は、フィルムシートの一部を剥いだ状態で電子レンジに入れて加熱される。このとき、容器が薄い合成樹脂シートで形成されていれば、加熱された食材の熱が容易に容器外面まで伝わり、容器の外面の温度も相当高くなる。そのために、電子レンジから食品を取り出す場合、例えば布製の断熱具を使用しなければならないという問題がある。
【発明の開示】
【発明が解決しようとする課題】
【０００３】
そこで、本発明は、断熱具を用いることなく電子レンジ等の加熱手段から取り出すことができる容器及び食品を提供することを目的とする。
【課題を解決するための手段】
【０００４】
この目的を達成するため、本発明に係る容器（１１）は、椀型の容器本体（１２）と逆椀型の容器蓋（１３）を有する容器であって、容器本体（１２）の環状開口縁部（２９）と容器蓋（１３）の環状開口縁部（４５）は、容器本体（１２）の開口部（２３）と容器蓋（１３）の開口部（３５）を対向させた状態で嵌合可能な形状を有する。容器本体（１２）の外面（２１）と容器蓋（１３）の内面（３３）は、上下反転された容器蓋（１３）の内面（３３）の内側に容器本体（１２）の外面（２１）を位置させることができる形状を有する。容器本体（１２）の外面（２１）又は容器蓋（１３）の内面（３３）いずれか一方は、容器蓋（１３）の内面（３３）の内側に容器本体（１２）の外面（２１）を位置させた状態で他方に向けて突出すると共に他方に当接し、容器本体（１２）の外面（２１）と容器蓋（１３）の内面（３３）との間に断熱空間（５０，５１）を形成すると共に容器蓋（１３）の内面（３３）の内側に容器本体（１２）を位置決めする複数の突出部（３９）を備えている。
【０００５】
この容器（１１）では、複数の突出部（３９）は、容器蓋（１３）の内面（３３）の内側に容器本体（１２）の外面（２１）を位置させた状態で、容器本体（１２）の環状開口縁部（２９）と容器蓋（１３）の環状開口縁部（４５）との間に、周方向に連続的にまたは断続的に、断熱空間（５０，５１）を大気に連通する連通開口（５２）を形成するものであることが好ましい。
【０００６】
また、容器本体（１２）が容器本体（１２）の中心を通る中心軸（２４）に対して回転対称の形状を有し、容器蓋（１３）は容器蓋（１３）の中心を通る中心軸（３６）に対して回転対称の形状を有し、容器本体（１２）の外面（２１）と容器蓋（１３）の内面（３３）は、容器蓋（１３）の内面（３３）の内側に容器本体（１２）の外面（２１）を位置させた状態で、容器本体（１２）の中心軸（２４）を中心とする容器本体（１２）の容器蓋（１３）に対する回転を規制する回転規制部（２８，４４）をそれぞれ備えていることが好ましい。
【０００７】
本発明の他の形態の容器（１１）は、椀型の容器本体（１２）と逆椀型の容器蓋（１３）からなり、容器本体（１２）と容器蓋（１３）は類似の形状を有し、容器本体（１２）の開口部（２３）を上方に向けると共に容器蓋（１３）の開口部（３５）を下方に向けた状態で、容器本体（１２）の開口縁部（２９）と容器蓋（１３）の開口縁部（４５）は嵌合可能であり、容器本体（１２）の開口部（２３）を上方に向けると共に容器蓋（１３）の開口部（３５）を上方に向けた状態で、容器蓋（１３）に容器本体（１２）を収容可能であり、容器本体（１２）又は容器蓋（１３）の一方は、容器蓋（１３）に容器本体（１２）を収容した状態で、一方から他方に向けて突出すると共に他方に当接し、容器本体（１２）と容器蓋（１３）との間に断熱空間（５０，５１）を形成すると共に容器蓋（１３）に対して容器本体（１２）を位置決めする突出部（３９）を備えている。
【０００８】
この容器（１１）では、容器本体（１２）と容器蓋（１３）はそれぞれ円形の容器本体（１２）と円形の容器蓋（１３）であり、容器本体（１２）と容器蓋（１３）は、容器蓋（１３）に容器本体（１２）を収容した状態で、容器本体（１２）と容器蓋（１３）との相対的な回転を防止する回転規制部（２８，４４）を備えていることが好ましい。
【０００９】
本発明に係る食品（１０）は、上述した容器（１１）を利用した食品である。具体的に、本発明に係る食品（１１）は、椀型の容器本体（１２）、逆椀型の容器蓋（１３）と、容器本体（１２）に収容された食材を備えた食品であって、容器本体（１２）の環状開口縁部（２９）と容器蓋（１３）の環状開口縁部（４５）は、容器本体（１２）の開口部（２３）と容器蓋（１３）の開口部（３５）を対向させた状態で嵌合可能な形状を有し、容器本体（１２）の外面（２１）と容器蓋（１３）の内面（３３）は、上下反転された容器蓋（１３）の内面（３３）の内側に容器本体（１２）の外面（２１）を位置させることができる形状を有し、容器本体（１２）の外面（２１）又は容器蓋（１３）の内面（３３）のいずれか一方は、上記容器蓋（１３）の内面（３３）の内側に上記容器本体（１２）の外面（２１）を位置させた状態で他方に向けて突出すると共に他方に当接し、上記容器本体（１２）の外面（２１）と上記容器蓋（１３）の内面（３３）との間に断熱空間（５０，５１）を形成すると共に上記容器蓋（１３）の内面（３３）の内側に上記容器本体（１２）を位置決めする複数の突出部（３９）を備えている。
【００１０】
本発明の他の形態の食品（１０）は、椀型の容器本体（１２）と、逆椀型の容器蓋（１３）と、容器本体（１２）に収容された食材を有し、容器本体（１２）と容器蓋（１３）は類似の形状を有し、容器本体（１２）の開口部（２３）を上方に向けると共に上記容器蓋（１３）の開口部（３５）を下方に向けた状態で、容器本体（１２）の開口縁部（２９）と容器蓋（１３）の開口縁部（４５）は嵌合可能であり、容器本体（１２）の開口部（２３）を上方に向けると共に容器蓋（１３）の開口部（３５）を上方に向けた状態で、容器蓋（１３）に上記容器本体（１２）を収容可能であり、容器本体（１２）又は容器蓋（１３）の一方は、容器蓋（１３）に容器本体（１２）を収容した状態で、一方から他方に向けて突出すると共に他方に当接し、容器本体（１２）と容器蓋（１３）との間に断熱空間（５０，５１）を形成すると共に容器蓋（１３）に対して容器本体（１２）を位置決めする突出部（３９）を備えている。
【００１１】
これらの食品（１０）の他の形態は、容器本体（１２）と容器蓋（１３）はそれぞれ円形の容器本体（１２）と円形の容器蓋（１３）であり、容器本体（１２）と容器蓋（１３）は、容器蓋（１３）に容器本体（１２）を収容した状態で、容器本体（１２）と容器蓋（１３）との相対的な回転を防止する回転規制部（２８，４４）を備えている。
【００１２】
また、食品（１０）の別の形態は、食材が収容された容器本体（１２）の開口部を封止するシール（３２）を有する。
【００１３】
さらに、食品（１０）の他の形態は、容器本体（１２）と容器蓋（１３）を嵌合した状態で、容器蓋（１３）の内側に第２の食材（４９）が収容されている。
【発明の効果】
【００１４】
このように構成された容器及び食品によれば、容器を構成する容器蓋を上下反転して容器本体を収容した状態で、容器本体と容器蓋との間には断熱空間が形成されるため、容器本体に例えば食材を収容して電子レンジで加熱しても、加熱された食材の熱が容器蓋まで伝わらず、この容器蓋を持って食品を電子レンジから取り出すことができる。
【発明を実施するための最良の形態】
【００１５】
以下、添付図面を参照して本発明に係る容器及び食品について説明する。
【００１６】
図１は、本発明の実施形態である、容器に食材を収容した電子レンジ調理食品１０を示す。図示するように、食品１０は容器（容器アセンブリ）１１を有する。容器１１は、椀型の容器本体１２と逆椀型の容器蓋１３を有する。容器本体１２と容器蓋１３は、電子レンジの加熱温度に耐えるポリプロピレン、ポリエチレンなどの薄い合成樹脂シートを熱成形して形成されている。合成樹脂シートの厚みは、例えば約０．２〜０．４ｍｍである。したがって、図面上は、断面が一つの線で描かれている。
【００１７】
図２は、容器本体１２の詳細な構造を示す。上述のように、容器本体１２は薄い合成樹脂シートで形成されていることから図面上では断面が一つの線で表されているが、通常の容器と同様に断面の内側と外側にそれぞれ内面２０と外面２１を有し、内面２０の内側に空間２２（食材収容空間）を形成している。実施の形態では、容器本体１２は円形容器である。したがって、容器本体１２の内面２０と外面２１は、容器本体１２の中心を通り、容器本体開口部２３を垂直方向に横断する中心軸２４に関してほぼ回転対称の円形を有する。容器本体１２の周壁２５とこれに接続された底壁２６には、周方向に等間隔に、半径方向に伸びる多数の隆起部２７と窪み部２８（回転規制部）が放射状に形成されている。開口部２３を形成している環状開口縁部２９は、半径方向外側に向かって伸びる環状フランジ３０を有する。このように構成された容器本体１２は、図１に示すように、第１の食材３１が収容された後、開口部２３が合成樹脂シート等からなるシール３２によって塞がれる。なお、第１の食材３１は、電子レンジによって加熱調理可能なものであれば何でもよいし、図示しない合成樹脂からなる袋に密封したうえで容器本体１２に収容してもよい。
【００１８】
図３は、容器蓋１３の詳細な構造を示す。容器蓋１３は、容器本体１２と同様に薄い合成樹脂シートで形成されていることから図面上では断面が一つの線で表されているが、通常の容器蓋と同様に断面の内側と外側にそれぞれ内面３３と外面３４を有する。容器蓋１３は容器本体１２に類似の形状を有する円形容器である。したがって、容器蓋１３及びその内面３３と外面３４は、容器蓋１３の中心を通り、容器蓋開口部３５を垂直方向に横断する中心軸３６に関してほぼ回転対称の形状を有する。容器蓋１３の周壁３７と底壁３８（天井壁）を繋ぐ角部領域には、外側から内側に向かって突出し、半径方向に放射状に伸びる複数の突出部（突起）３９が、周方向に等間隔に形成されている。実施の形態では、６つの突出部３９が周方向に６０度の間隔をあけて形成されている。各突出部３９は、容器本体１２における周壁３７と底壁３８を繋ぐ角部４０（図２参照）の外面輪郭に沿った形状の内面部分４１を有し、その内面部分４１には底壁側に底壁支持面４２が形成されるとともに周壁側に周壁支持面４３が形成されている。図３（ｂ）において中心軸３６を挟んで左右に対向している一対の突出部３９の中央部には、突出部内面部分４１の一部を更に内方にそして、開口部３５を形成している環状開口縁部４５は中心軸３６とほぼ平行に伸びる環状筒部４６を有する。環状筒部４６には、開口端部の内側（図３（ａ）では上側）に、内方に突出する係止爪４７が周方向に連続して又は周方向に断続的に形成されている。ここで、環状筒部４６の内径は、容器本体１２における環状フランジ３０の外径とほぼ同一である。また、周方向に伸びる係止爪４７の内径は、容器本体１２における環状フランジ３０の外径よりも僅かに小さい。したがって、図４に示すように、容器本体１２の環状開口縁部２９と容器蓋１３の環状開口縁部４５を嵌合した状態で、容器本体１２における環状フランジ３０が容器蓋１３における環状筒部４６の内側に入り、係止爪４７によって抜け止めが図られる。
【００１９】
容器蓋１３は、図１に示す使用状態では上方に向かって凸状の形状を有し、図４に示すように容器本体１２に嵌合し装着した状態では、容器本体１２及びシール３２の上に大きな内部空間４８（第２の食材収容空間）を形成する。したがって、図１に示すように、容器１１を組み立てた状態で容器蓋１３とシール３２の間に形成される空間４８に第２の食材４９を収容することができる。第２の食材４９は、電子レンジによって加熱調理可能なものであれば何でもよいが、第１の食材３１と組み合わせて食事に供される材料が好ましい。このように組み合わせて食事に供される第１及び第２の食材としては、例えば、ご飯とご飯の上に載せる具（焚き物、調理済みの食材）が考えられる。したがって、第２の食材は、図示しない合成樹脂からなる袋に密封したうえで容器本体１２に収容することが好ましい。
【００２０】
このように構成された食品１０を製造する場合、図１に示すように、容器本体１２に第１の食材３１を収容する。次に、容器本体１２の開口部２３をシール３２で塞ぐ。このとき、シール３２は熱で接着するのが好ましい。続いて、シール３２の上に第２の食材４９を載せ、容器蓋１３を容器本体１２に嵌め合わせる。このとき、図４に示すように、容器本体１２の環状開口縁部２９に形成された環状フランジ３０を容器蓋１３の環状開口縁部４５に形成された環状筒部４６にはめ込み、容器蓋１３の係止爪４７で環状フランジ３０の抜け出しを防止する。
【００２１】
食品１０を食事に供する場合、容器本体１２から容器蓋１３を取り外す。次に、シール３２を所定長さ剥がし、容器本体１２に収容されている第１の食材３１の上に第２の食材４９を載せる。このとき、第１の食材３１、第２の食材４９が袋に収容されている場合、これらを袋から取り出す。容器本体１２から分離された容器蓋１３は、図５，６に示すように上下反転し、容器蓋１３の内部空間４８（内面３３の内側）に容器本体１２を収容する。図３を参照して説明したように、容器蓋１３には内部に向かって突出する複数の突出部３９が形成されており、その内面部分４１は容器本体１２の外面輪郭に沿って配置されている。したがって、図６に示すように、容器蓋１３の内部では、容器本体１２の底壁２５と周壁３８が突出部内面部分の底壁支持面４２と周壁支持面４３にそれぞれ支持される。その結果、容器本体１２の底壁２５と容器蓋１３の底壁３７との間には底部断熱空間５０が形成される。また、容器本体１２の周壁２５と容器蓋１３の周壁３７との間には、底部断熱空間５０と流体的に連通した外周断熱空間５１が形成される。さらに、容器本体１２の環状開口縁部２９と容器蓋１３の環状開口縁部４５との間には、周方向に連続的に又は周方向に断続的に、底部断熱空間５０と外周断熱空間５１を大気に接続する連通開口５２が形成される。加えて、実施の形態では、容器蓋１３の突出部３９に回転規制部４４が形成されており、この回転規制部４４が容器本体１２の周壁窪み部２８に係合する。したがって、容器蓋１３の内側で容器本体１２が回転することはない。
【００２２】
このようにして再び組み合わされた容器１１を有する食品１０は、電子レンジ（図示せず）に入れて加熱される。その結果、第１の食材３１と第２の食材４９が、食事に供される程度まで加熱される。加熱された食材３１，４９の熱は、容器本体１２の外面に伝わる。しかし、容器外面２１と容器蓋１３の間には断熱空間５０，５１が形成されているので、容器蓋１３は高温にならず、人が触っても火傷等の怪我をしない温度である。そのため、加熱後の食品１０は、上下反転されて容器本体１２に組み合わされた容器蓋１３を持って、電子レンジから取り出すことができる。
【００２３】
また、実施の形態の円形容器では、容器蓋突出部３９の内面部分４１は容器本体１２の外面輪郭に沿って配置されており、容器本体１２と容器蓋１３に両者の相対的回転を防止するための手段（周壁窪み部２８と回転規制部４４）が設けてあるので、加熱された食品１０を持ち運ぶ際に、容器蓋１３の内側で容器本体１２が踊ることがなく、極めて安全である。また、実施の形態では容器本体１２が容器蓋１３にほぼ収容される形状としてあるので、廃棄の際に占有する空間も最小限で済む。
【００２４】
なお、以上の説明では、容器本体１２と容器蓋１３は中心軸２４、３６に対して回転対称な形状を有するものとしたが、この場合の回転対称は完全な回転対称である必要はなく、上下反転した容器蓋１３の内側に容器本体１２が収容されて両者の間に断熱空間が形成される限り、多少の変形は許される。
【００２５】
また、容器本体１２と容器蓋１３は、これらを上方から見たときに四角形又はその他の多角形を有するものであってもよい。
【００２６】
さらに、以上の説明では、容器本体１２と容器蓋１３は厚みが約０．２〜０．４ｍｍの薄い合成樹脂シートで形成した。そのために、容器本体１２と容器蓋１３の内面形状と外面形状はほぼ同じ形状を有するが、容器本体１２又は容器蓋１３若しくはそれらの両方が約１〜５ｍｍの厚みを有する場合もあり、その場合には容器本体１２や容器蓋１３の内面形状と外面形状は必ずしも同一又は相似にはならず、内面形状と外面形状が異なる場合があり得る。
【００２７】
さらにまた、以上の説明では、容器蓋１３に突出部３９を設けたが、容器本体１２に突出部３９を設けてもよいし、容器蓋１３と容器本体１２の両方に突出部を設けてもよい。そして、以上の説明において、各突出部３９には底壁支持面４２と周壁支持面４３の両方を設けたが、底壁支持面のみを有する突出部と周壁支持面のみを有する突出部を設けてもよい。ただし、上述の実施形態のように、周壁と底壁を連結する角部に突出部を設けた場合、容器本体や容器蓋の成形型を成形品から上方又は下方（中心軸と平行な方向）に容易に分離させることができるので、容器本体や容器蓋の設計が容易にある。
【００２８】
また、以上の説明では、容器蓋１３の回転規制部４４を突出部３９に形成したが、このような回転規制部は別の場所に設けてもよい。
【００２９】
そして、以上の説明では、容器本体１２と容器蓋１３の内側に形成された空間２２、４８に第１の食材３１と第２の食材４９をそれぞれ収容したが、第２の食材４９は必ずしも必要ではないし、これら容器本体１２と容器蓋１３の空間２２，４８に収容する材料は食材に限るものではない。
【図面の簡単な説明】
【００３０】
【図１】本発明に係る容器と食品の分解斜視図。
【図２】図１に示す容器本体の断面図〔図２（ａ）〕と平面図〔図２（ｂ）〕。
【図３】図１に示す容器蓋の断面図〔図３（ａ）〕と平面図〔図３（ｂ）〕。
【図４】図１に示す容器本体と容器蓋を組み合わせた状態の断面図。
【図５】容器本体と上下反転した容器蓋を示す断面図。
【図６】図５に示す容器本体と容器蓋を組み合わせた状態の断面図。
【符号の説明】
【００３１】
１０：電子レンジ調理食品、１１：容器、１２：容器本体、１３：容器蓋、２０：内面、２１：外面、２２：空間、２３：容器本体開口部、２４：中心軸、２５：周壁、２６：底壁、２７：隆起部、２８：窪み部、２９：環状開口縁部、３０：環状フランジ、３１：第１の食材、３２：シール、３３：内面、３４：外面、３５：容器蓋開口部、３６：中心軸、３７：周壁、３８：底壁（天井壁）、３９：突出部（突起）、４０：角部、４１：内面部分、４２：底壁支持面、４３：周壁支持面、４４：回転規制部（位置決め部）、４５：環状開口縁部、４６：環状筒部、４７：係止爪、４８：内部空間、４９：第２の食材、５０：断熱空間、５１：断熱空間、５２：連通開口。
【図１】
2006256672.tif 000003
【図２】
2006256672.tif 000004
【図３】
2006256672.tif 000005
【図４】
2006256672.tif 000006
【図５】
2006256672.tif 000007
【図６】
2006256672.tif 000008